【手続補正書】
【提出日】平成27年9月15日(2015.9.15)
【手続補正１】
【補正対象書類名】特許請求の範囲
【補正対象項目名】全文
【補正方法】変更
【補正の内容】
【特許請求の範囲】
【請求項１】
動画像を構成する複数のピクチャのための圧縮画像データであって、ピクチャごとに、ランダム・アクセスピクチャと、ランダム・アクセス・スキップ（ＲＡＳ）リーディングピクチャと、ｎｏｎ−ＲＡＳリーディングピクチャとを含む複数のピクチャ・タイプのうちのひとつとして当該ピクチャを識別するＮＡＬユニット・タイプの情報を有する圧縮画像データを含むビットストリームを入力する入力手段と、
前記ピクチャ・タイプに基づいて、前記圧縮画像データを復号し、再生画像に復元する復元手段と、
前記再生画像を出力する出力手段と、
を具備し、
１）ランダム・アクセスピクチャは、前記ビットストリームの任意のランダム・アクセスピクチャから開始される復号プロセスが当該ランダム・アクセスピクチャから開始される場合、復号順で前記ビットストリームの最初のピクチャであり、
２）ＲＡＳリーディングピクチャは、関連するランダム・アクセスピクチャに出力順で先行するピクチャであって、関連するランダム・アクセスピクチャが復号順で前記ビットストリームの最初のピクチャである場合には復号できないピクチャであり、
３）ｎｏｎ−ＲＡＳリーディングピクチャは、関連するランダム・アクセスピクチャに出力順で先行するピクチャであって、復号できるピクチャであり、
関連するｎｏｎ−ＲＡＳリーディングピクチャの画面間予測のために使用される参照ピクチャは、ＲＡＳリーディングピクチャと、関連するランダム・アクセスピクチャに復号順で先行するピクチャとのいずれも含まない、
ことを特徴とする動画像予測復号装置。
【請求項２】
動画像予測復号装置により実行される動画像予測復号方法であって、
動画像を構成する複数のピクチャのための圧縮画像データであって、ピクチャごとに、ランダム・アクセスピクチャと、ランダム・アクセス・スキップ（ＲＡＳ）リーディングピクチャと、ｎｏｎ−ＲＡＳリーディングピクチャとを含む複数のピクチャ・タイプのうちのひとつとして当該ピクチャを識別するＮＡＬユニット・タイプの情報を有する圧縮画像データを含むビットストリームを入力する入力ステップと、
前記ピクチャ・タイプに基づいて、前記圧縮画像データを復号し、再生画像に復元する復元ステップと、
前記再生画像を出力する出力ステップと、
を具備し、
１）ランダム・アクセスピクチャは、前記ビットストリームの任意のランダム・アクセスピクチャから開始される復号プロセスが当該ランダム・アクセスピクチャから開始される場合、復号順で前記ビットストリームの最初のピクチャであり、
２）ＲＡＳリーディングピクチャは、関連するランダム・アクセスピクチャに出力順で先行するピクチャであって、関連するランダム・アクセスピクチャが復号順で前記ビットストリームの最初のピクチャである場合には復号できないピクチャであり、
３）ｎｏｎ−ＲＡＳリーディングピクチャは、関連するランダム・アクセスピクチャに出力順で先行するピクチャであって、復号できるピクチャであり、
関連するｎｏｎ−ＲＡＳリーディングピクチャの画面間予測のために使用される参照ピクチャは、ＲＡＳリーディングピクチャと、関連するランダム・アクセスピクチャに復号順で先行するピクチャとのいずれも含まない、
ことを特徴とする動画像予測復号方法。
【請求項３】
コンピュータを、
動画像を構成する複数のピクチャのための圧縮画像データであって、ピクチャごとに、ランダム・アクセスピクチャと、ランダム・アクセス・スキップ（ＲＡＳ）リーディングピクチャと、ｎｏｎ−ＲＡＳリーディングピクチャとを含む複数のピクチャ・タイプのうちのひとつとして当該ピクチャを識別するＮＡＬユニット・タイプの情報を有する圧縮画像データを含むビットストリームを入力する入力手段と、
前記ピクチャ・タイプに基づいて、前記圧縮画像データを復号し、再生画像に復元する復元手段と、
前記再生画像を出力する出力手段と、
として機能させ、
１）ランダム・アクセスピクチャは、前記ビットストリームの任意のランダム・アクセスピクチャから開始される復号プロセスが当該ランダム・アクセスピクチャから開始される場合、復号順で前記ビットストリームの最初のピクチャであり、
２）ＲＡＳリーディングピクチャは、関連するランダム・アクセスピクチャに出力順で先行するピクチャであって、関連するランダム・アクセスピクチャが復号順で前記ビットストリームの最初のピクチャである場合には復号できないピクチャであり、
３）ｎｏｎ−ＲＡＳリーディングピクチャは、関連するランダム・アクセスピクチャに出力順で先行するピクチャであって、復号できるピクチャであり、
関連するｎｏｎ−ＲＡＳリーディングピクチャの画面間予測のために使用される参照ピクチャは、ＲＡＳリーディングピクチャと、関連するランダム・アクセスピクチャに復号順で先行するピクチャとのいずれも含まない、
ことを特徴とする動画像予測復号プログラム。
【手続補正２】
【補正対象書類名】明細書
【補正対象項目名】発明の名称
【補正方法】変更
【補正の内容】
【発明の名称】動画像予測復号装置、方法及びプログラム
【手続補正３】
【補正対象書類名】明細書
【補正対象項目名】０００１
【補正方法】変更
【補正の内容】
【０００１】
本発明は、動画像予測復号装置、方法及びプログラムに関するものであり、とりわけ、ランダム・アクセスに有効な画面間予測に係る動画像予測復号装置、方法及びプログラムに関する。
【手続補正４】
【補正対象書類名】明細書
【補正対象項目名】００１４
【補正方法】変更
【補正の内容】
【００１４】
本発明に係る動画像予測復号装置は、動画像を構成する複数のピクチャのための圧縮画像データであって、ピクチャごとに、ランダム・アクセスピクチャと、ランダム・アクセス・スキップ（ＲＡＳ）リーディングピクチャと、ｎｏｎ−ＲＡＳリーディングピクチャとを含む複数のピクチャ・タイプのうちのひとつとして当該ピクチャを識別するＮＡＬユニット・タイプの情報を有する圧縮画像データを含むビットストリームを入力する入力手段と、前記ピクチャ・タイプに基づいて、前記圧縮画像データを復号し、再生画像に復元する復元手段と、前記再生画像を出力する出力手段と、を具備し、
１）ランダム・アクセスピクチャは、前記ビットストリームの任意のランダム・アクセスピクチャから開始される復号プロセスが当該ランダム・アクセスピクチャから開始される場合、復号順で前記ビットストリームの最初のピクチャであり、
２）ＲＡＳリーディングピクチャは、関連するランダム・アクセスピクチャに出力順で先行するピクチャであって、関連するランダム・アクセスピクチャが復号順で前記ビットストリームの最初のピクチャである場合には復号できないピクチャであり、
３）ｎｏｎ−ＲＡＳリーディングピクチャは、関連するランダム・アクセスピクチャに出力順で先行するピクチャであって、復号できるピクチャであり、
関連するｎｏｎ−ＲＡＳリーディングピクチャの画面間予測のために使用される参照ピクチャは、ＲＡＳリーディングピクチャと、関連するランダム・アクセスピクチャに復号順で先行するピクチャとのいずれも含まない、ことを特徴とする。
【手続補正５】
【補正対象書類名】明細書
【補正対象項目名】００１５
【補正方法】変更
【補正の内容】
【００１５】
本発明に係る動画像予測復号方法は、動画像予測復号装置により実行される動画像予測復号方法であって、動画像を構成する複数のピクチャのための圧縮画像データであって、ピクチャごとに、ランダム・アクセスピクチャと、ランダム・アクセス・スキップ（ＲＡＳ）リーディングピクチャと、ｎｏｎ−ＲＡＳリーディングピクチャとを含む複数のピクチャ・タイプのうちのひとつとして当該ピクチャを識別するＮＡＬユニット・タイプの情報を有する圧縮画像データを含むビットストリームを入力する入力ステップと、前記ピクチャ・タイプに基づいて、前記圧縮画像データを復号し、再生画像に復元する復元ステップと、前記再生画像を出力する出力ステップと、を具備し、
１）ランダム・アクセスピクチャは、前記ビットストリームの任意のランダム・アクセスピクチャから開始される復号プロセスが当該ランダム・アクセスピクチャから開始される場合、復号順で前記ビットストリームの最初のピクチャであり、
２）ＲＡＳリーディングピクチャは、関連するランダム・アクセスピクチャに出力順で先行するピクチャであって、関連するランダム・アクセスピクチャが復号順で前記ビットストリームの最初のピクチャである場合には復号できないピクチャであり、
３）ｎｏｎ−ＲＡＳリーディングピクチャは、関連するランダム・アクセスピクチャに出力順で先行するピクチャであって、復号できるピクチャであり、
関連するｎｏｎ−ＲＡＳリーディングピクチャの画面間予測のために使用される参照ピクチャは、ＲＡＳリーディングピクチャと、関連するランダム・アクセスピクチャに復号順で先行するピクチャとのいずれも含まない、ことを特徴とする。
【手続補正６】
【補正対象書類名】明細書
【補正対象項目名】００１６
【補正方法】変更
【補正の内容】
【００１６】
本発明に係る動画像予測復号プログラムは、コンピュータを、動画像を構成する複数のピクチャのための圧縮画像データであって、ピクチャごとに、ランダム・アクセスピクチャと、ランダム・アクセス・スキップ（ＲＡＳ）リーディングピクチャと、ｎｏｎ−ＲＡＳリーディングピクチャとを含む複数のピクチャ・タイプのうちのひとつとして当該ピクチャを識別するＮＡＬユニット・タイプの情報を有する圧縮画像データを含むビットストリームを入力する入力手段と、前記ピクチャ・タイプに基づいて、前記圧縮画像データを復号し、再生画像に復元する復元手段と、前記再生画像を出力する出力手段と、として機能させ、
１）ランダム・アクセスピクチャは、前記ビットストリームの任意のランダム・アクセスピクチャから開始される復号プロセスが当該ランダム・アクセスピクチャから開始される場合、復号順で前記ビットストリームの最初のピクチャであり、
２）ＲＡＳリーディングピクチャは、関連するランダム・アクセスピクチャに出力順で先行するピクチャであって、関連するランダム・アクセスピクチャが復号順で前記ビットストリームの最初のピクチャである場合には復号できないピクチャであり、
３）ｎｏｎ−ＲＡＳリーディングピクチャは、関連するランダム・アクセスピクチャに出力順で先行するピクチャであって、復号できるピクチャであり、
関連するｎｏｎ−ＲＡＳリーディングピクチャの画面間予測のために使用される参照ピクチャは、ＲＡＳリーディングピクチャと、関連するランダム・アクセスピクチャに復号順で先行するピクチャとのいずれも含まない、ことを特徴とする。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００８７
【補正方法】変更
【補正の内容】
【００８７】
図７に示すように、動画像予測符号化プログラム又は動画像予測復号プログラムは、搬送波に重畳されたコンピュータデータ信号４０としてネットワークを介して提供されるものであってもよい。この場合、コンピュータ３０は、通信装置２４によって受信された動画像予測符号化プログラム又は動画像予測復号プログラムをメモリ１６に格納し、当該動画像予測符号化プログラム又は当該動画像予測復号プログラムを実行することができる。
本発明に係る動画像予測符号化装置は、動画像を構成する複数の画像を入力する入力手段と、前記画像を画面内予測もしくは画面間予測のいずれかの方法で符号化することで、ランダム・アクセス・ポイントとなる画像を含む圧縮画像データを生成するとともに、各画像の出力順番情報と各画像のピクチャ・タイプに関する情報とを符号化する符号化手段と、前記圧縮画像データを復号し、再生画像に復元する復元手段と、前記再生画像を、後続の画像を符号化するために用いられる参照画像として１つ以上格納する画像格納手段と、前記ピクチャ・タイプを判定し、判定結果に基づいて前記画像格納手段を制御する制御手段と、を具備し、前記制御手段は、
１）ＣＲＡピクチャ：ＣＲＡピクチャに続くタイプ２ピクチャが、前記ＣＲＡピクチャから復号が開始された場合に正しく復号することができる、ことを特徴とするピクチャ、
２）タイプ１ピクチャ：当該ピクチャに関連付けされたＣＲＡピクチャの後に復号され、前記ＣＲＡピクチャよりも先に出力されるピクチャであって、画面間予測を行うために、タイプ１ピクチャとしてラベル付けされた少なくとも１つの参照ピクチャ、あるいは、前記関連付けされたＣＲＡピクチャに復号順で先行する少なくとも１つの参照ピクチャ、を含む参照ピクチャのリストを持つピクチャ、
３）タイプ２ピクチャ：画面間予測を行うために、参照ピクチャのリストを持つピクチャであって、当該参照ピクチャのリストにある全ての参照ピクチャが、タイプ２ピクチャあるいはＣＲＡピクチャとしてラベル付けされ、当該ピクチャに関連付けされたＣＲＡピクチャ以降に復号されることを特徴とする、当該ピクチャ、
の計３つのタイプのうちひとつとして、前記画像をラベル付けする、ことを特徴とする。
本発明に係る動画像予測符号化方法は、動画像予測符号化装置により実行される動画像予測符号化方法であって、動画像を構成する複数の画像を入力する入力ステップと、前記画像を画面内予測もしくは画面間予測のいずれかの方法で符号化することで、ランダム・アクセス・ポイントとなる画像を含む圧縮画像データを生成するとともに、各画像の出力順番情報と各画像のピクチャ・タイプに関する情報とを符号化する符号化ステップと、前記圧縮画像データを復号し、再生画像に復元する復元ステップと、前記再生画像を、後続の画像を符号化するために用いられる参照画像として１つ以上格納する画像格納ステップと、前記ピクチャ・タイプを判定し、判定結果に基づいて前記画像格納ステップを制御する制御ステップと、を具備し、前記制御ステップにおいて、前記動画像予測符号化装置は、
１）ＣＲＡピクチャ：ＣＲＡピクチャに続くタイプ２ピクチャが、前記ＣＲＡピクチャから復号が開始された場合に正しく復号することができる、ことを特徴とするピクチャ、
２）タイプ１ピクチャ：当該ピクチャに関連付けされたＣＲＡピクチャの後に復号され、前記ＣＲＡピクチャよりも先に出力されるピクチャであって、画面間予測を行うために、タイプ１ピクチャとしてラベル付けされた少なくとも１つの参照ピクチャ、あるいは、前記関連付けされたＣＲＡピクチャに復号順で先行する少なくとも１つの参照ピクチャ、を含む参照ピクチャのリストを持つピクチャ、
３）タイプ２ピクチャ：画面間予測を行うために、参照ピクチャのリストを持つピクチャであって、当該参照ピクチャのリストにある全ての参照ピクチャが、タイプ２ピクチャあるいはＣＲＡピクチャとしてラベル付けされ、当該ピクチャに関連付けされたＣＲＡピクチャ以降に復号されることを特徴とする、当該ピクチャ、
の計３つのタイプのうちひとつとして、前記画像をラベル付けする、ことを特徴とする。
本発明に係る動画像予測符号化プログラムは、コンピュータを、動画像を構成する複数の画像を入力する入力手段と、前記画像を画面内予測もしくは画面間予測のいずれかの方法で符号化することで、ランダム・アクセス・ポイントとなる画像を含む圧縮画像データを生成するとともに、各画像の出力順番情報と各画像のピクチャ・タイプに関する情報とを符号化する符号化手段と、前記圧縮画像データを復号し、再生画像に復元する復元手段と、前記再生画像を、後続の画像を符号化するために用いられる参照画像として１つ以上格納する画像格納手段と、前記ピクチャ・タイプを判定し、判定結果に基づいて前記画像格納手段を制御する制御手段、として機能させ、前記制御手段は、
１）ＣＲＡピクチャ：ＣＲＡピクチャに続くタイプ２ピクチャが、前記ＣＲＡピクチャから復号が開始された場合に正しく復号することができる、ことを特徴とするピクチャ、
２）タイプ１ピクチャ：当該ピクチャに関連付けされたＣＲＡピクチャの後に復号され、前記ＣＲＡピクチャよりも先に出力されるピクチャであって、画面間予測を行うために、タイプ１ピクチャとしてラベル付けされた少なくとも１つの参照ピクチャ、あるいは、前記関連付けされたＣＲＡピクチャに復号順で先行する少なくとも１つの参照ピクチャ、を含む参照ピクチャのリストを持つピクチャ、
３）タイプ２ピクチャ：画面間予測を行うために、参照ピクチャのリストを持つピクチャであって、当該参照ピクチャのリストにある全ての参照ピクチャが、タイプ２ピクチャあるいはＣＲＡピクチャとしてラベル付けされ、当該ピクチャに関連付けされたＣＲＡピクチャ以降に復号されることを特徴とする、当該ピクチャ、
の計３つのタイプのうちひとつとして、前記画像をラベル付けする、ことを特徴とする。
本発明に係る動画像予測復号装置は、動画像を構成する複数の画像に対し画面内予測もしくは画面間予測のいずれかによる符号化が行われることで得られた、ランダム・アクセス画像を含む圧縮画像データと、各画像の出力順番および各画像のピクチャ・タイプを示す符号化データとを入力する入力手段と、前記圧縮画像データと前記符号化データとを復号し、再生画像と出力順番情報とピクチャ・タイプ情報とに復元する復元手段と、前記再生画像を、後続の画像を復号するために用いられる参照画像として１つ以上格納する画像格納手段と、前記ピクチャ・タイプに基づいて、前記復元手段を制御する制御手段と、を具備し、前記ピクチャ・タイプは、
１）ＣＲＡピクチャ：ＣＲＡピクチャに続くタイプ２ピクチャが、当該ＣＲＡピクチャから復号が開始された場合に正しく復号することができる、ことを特徴とするピクチャ、
２）タイプ１ピクチャ：当該ピクチャに関連付けされたＣＲＡピクチャの後に復号され、前記ＣＲＡピクチャよりも先に出力されるピクチャであって、画面間予測を行うために、タイプ１ピクチャとしてラベル付けされた少なくとも１つの参照ピクチャ、あるいは、前記関連付けされたＣＲＡピクチャに復号順で先行する少なくとも１つの参照ピクチャ、を含む参照ピクチャのリストを持つピクチャ、
３）タイプ２ピクチャ：画面間予測を行うために、参照ピクチャのリストを持つピクチャであって、当該参照ピクチャのリストにある全ての参照ピクチャが、タイプ２ピクチャあるいはＣＲＡピクチャとしてラベル付けされ、当該ピクチャに関連付けされたＣＲＡピクチャ以降に復号されることを特徴とする、当該ピクチャ、
の計３つのタイプのうちひとつとして各画像にラベル付けされており、前記復元手段は、符号化データの復号がＣＲＡピクチャから開始された場合、タイプ２ピクチャとしてラベル付けされた画像を復号し、タイプ１ピクチャとしてラベル付けされた画像の復号をスキップする、といった復号処理を、次のＣＲＡピクチャの処理直前までの期間、続ける、ことを特徴とする。
本発明に係る動画像予測復号方法は、動画像予測復号装置により実行される動画像予測復号方法であって、動画像を構成する複数の画像に対し画面内予測もしくは画面間予測のいずれかによる符号化が行われることで得られた、ランダム・アクセス画像を含む圧縮画像データと、各画像の出力順番および各画像のピクチャ・タイプを示す符号化データとを入力する入力ステップと、前記圧縮画像データと前記符号化データとを復号し、再生画像と出力順番情報とピクチャ・タイプ情報とに復元する復元ステップと、前記再生画像を、後続の画像を復号するために用いられる参照画像として１つ以上格納する画像格納ステップと、前記ピクチャ・タイプに基づいて、前記復元ステップを制御する制御ステップと、を具備し、前記ピクチャ・タイプは、
１）ＣＲＡピクチャ：ＣＲＡピクチャに続くタイプ２ピクチャが、当該ＣＲＡピクチャから復号が開始された場合に正しく復号することができる、ことを特徴とするピクチャ、
２）タイプ１ピクチャ：当該ピクチャに関連付けされたＣＲＡピクチャの後に復号され、前記ＣＲＡピクチャよりも先に出力されるピクチャであって、画面間予測を行うために、タイプ１ピクチャとしてラベル付けされた少なくとも１つの参照ピクチャ、あるいは、前記関連付けされたＣＲＡピクチャに復号順で先行する少なくとも１つの参照ピクチャ、を含む参照ピクチャのリストを持つピクチャ、
３）タイプ２ピクチャ：画面間予測を行うために、参照ピクチャのリストを持つピクチャであって、当該参照ピクチャのリストにある全ての参照ピクチャが、タイプ２ピクチャあるいはＣＲＡピクチャとしてラベル付けされ、当該ピクチャに関連付けされたＣＲＡピクチャ以降に復号されることを特徴とする、当該ピクチャ、
の計３つのタイプのうちひとつとして各画像にラベル付けされており、前記復元ステップにおいて、前記動画像予測復号装置は、符号化データの復号がＣＲＡピクチャから開始された場合、タイプ２ピクチャとしてラベル付けされた画像を復号し、タイプ１ピクチャとしてラベル付けされた画像の復号をスキップする、といった復号処理を、次のＣＲＡピクチャの処理直前までの期間、続ける、ことを特徴とする。
本発明に係る動画像予測復号プログラムは、コンピュータを、動画像を構成する複数の画像に対し画面内予測もしくは画面間予測のいずれかによる符号化が行われることで得られた、ランダム・アクセス画像を含む圧縮画像データと、各画像の出力順番および各画像のピクチャ・タイプを示す符号化データとを入力する入力手段と、前記圧縮画像データと前記符号化データとを復号し、再生画像と出力順番情報とピクチャ・タイプ情報とに復元する復元手段と、前記再生画像を、後続の画像を復号するために用いられる参照画像として１つ以上格納する画像格納手段と、前記ピクチャ・タイプに基づいて、前記復元手段を制御する制御手段、として機能させ、前記ピクチャ・タイプは、
１）ＣＲＡピクチャ：ＣＲＡピクチャに続くタイプ２ピクチャが、当該ＣＲＡピクチャから復号が開始された場合に正しく復号することができる、ことを特徴とするピクチャ、
２）タイプ１ピクチャ：当該ピクチャに関連付けされたＣＲＡピクチャの後に復号され、前記ＣＲＡピクチャよりも先に出力されるピクチャであって、画面間予測を行うために、タイプ１ピクチャとしてラベル付けされた少なくとも１つの参照ピクチャ、あるいは、前記関連付けされたＣＲＡピクチャに復号順で先行する少なくとも１つの参照ピクチャ、を含む参照ピクチャのリストを持つピクチャ、
３）タイプ２ピクチャ：画面間予測を行うために、参照ピクチャのリストを持つピクチャであって、当該参照ピクチャのリストにある全ての参照ピクチャが、タイプ２ピクチャあるいはＣＲＡピクチャとしてラベル付けされ、当該ピクチャに関連付けされたＣＲＡピクチャ以降に復号されることを特徴とする、当該ピクチャ、
の計３つのタイプのうちひとつとして各画像にラベル付けされており、前記復元手段は、符号化データの復号がＣＲＡピクチャから開始された場合、タイプ２ピクチャとしてラベル付けされた画像を復号し、タイプ１ピクチャとしてラベル付けされた画像の復号をスキップする、といった復号処理を、次のＣＲＡピクチャの処理直前までの期間、続ける、ことを特徴とする。
さて、本発明に係る動画像予測符号化装置、方法及びプログラム、並びに、動画像予測復号装置、方法及びプログラムは、以下の態様も採用することができる。
本発明に係る動画像予測符号化装置は、動画像を構成する複数の画像を入力する入力手段と、前記画像を画面内予測もしくは画面間予測のいずれかの方法で符号化することで、ランダム・アクセス・ポイントとなる画像を含む圧縮画像データを生成するとともに、各画像の出力順番情報を符号化する符号化手段と、前記圧縮画像データを復号し、再生画像に復元する復元手段と、前記再生画像を、後続の画像を符号化するために用いられる参照画像として１つ以上格納する画像格納手段と、前記画像格納手段を制御する制御手段と、を具備し、前記制御手段は、
１）符号化データの復号が開始されるＣＲＡピクチャ、
２）当該ピクチャに関連付けされたＣＲＡピクチャよりも後に復号され、前記関連付けされたＣＲＡピクチャよりも先に出力され、前記復元手段による復号処理がスキップされ、前記画像格納手段に格納されず出力されないピクチャであって、画面間予測を行うために、前記復元手段による復号処理がスキップされる少なくとも１つの参照ピクチャ、あるいは、前記関連付けされたＣＲＡピクチャに復号順で先行する少なくとも１つの参照ピクチャ、を含む参照ピクチャのリストを持つ、当該ピクチャ、
３）前記復元手段により復号され、必要に応じて参照のために前記画像格納手段に格納されるピクチャであって、当該ピクチャは画面間予測を行うために参照ピクチャのリストを持ち、当該参照ピクチャのリストにある全ての参照ピクチャが、前記復元手段により復号され、当該ピクチャに関連付けされたＣＲＡピクチャ以降に復号されることを特徴とする、当該ピクチャ、
の計３つに、前記画像を分類し制御する、ことを特徴とする。
本発明に係る動画像予測符号化方法は、動画像予測符号化装置により実行される動画像予測符号化方法であって、動画像を構成する複数の画像を入力する入力ステップと、前記画像を画面内予測もしくは画面間予測のいずれかの方法で符号化することで、ランダム・アクセス・ポイントとなる画像を含む圧縮画像データを生成するとともに、各画像の出力順番情報を符号化する符号化ステップと、前記圧縮画像データを復号し、再生画像に復元する復元ステップと、前記再生画像を、後続の画像を符号化するために用いられる参照画像として１つ以上格納する画像格納ステップと、前記画像格納ステップを制御する制御ステップと、を具備し、前記制御ステップにおいて、前記動画像予測符号化装置は、
１）符号化データの復号が開始されるＣＲＡピクチャ、
２）当該ピクチャに関連付けされたＣＲＡピクチャよりも後に復号され、前記関連付けされたＣＲＡピクチャよりも先に出力され、前記復元ステップによる復号処理がスキップされ、前記画像格納ステップにて格納されず出力されないピクチャであって、画面間予測を行うために、前記復元ステップによる復号処理がスキップされる少なくとも１つの参照ピクチャ、あるいは、前記関連付けされたＣＲＡピクチャに復号順で先行する少なくとも１つの参照ピクチャ、を含む参照ピクチャのリストを持つ、当該ピクチャ、
３）前記復元ステップにより復号され、必要に応じて参照のために前記画像格納ステップにて格納されるピクチャであって、当該ピクチャは画面間予測を行うために参照ピクチャのリストを持ち、当該参照ピクチャのリストにある全ての参照ピクチャが、前記復元ステップにより復号され、当該ピクチャに関連付けされたＣＲＡピクチャ以降に復号されることを特徴とする、当該ピクチャ、
の計３つに、前記画像を分類し制御する、ことを特徴とする。
本発明に係る動画像予測符号化プログラムは、コンピュータを、動画像を構成する複数の画像を入力する入力手段と、前記画像を画面内予測もしくは画面間予測のいずれかの方法で符号化することで、ランダム・アクセス・ポイントとなる画像を含む圧縮画像データを生成するとともに、各画像の出力順番情報を符号化する符号化手段と、前記圧縮画像データを復号し、再生画像に復元する復元手段と、前記再生画像を、後続の画像を符号化するために用いられる参照画像として１つ以上格納する画像格納手段と、前記画像格納手段を制御する制御手段、として機能させ、前記制御手段は、
１）符号化データの復号が開始されるＣＲＡピクチャ、
２）当該ピクチャに関連付けされたＣＲＡピクチャよりも後に復号され、前記関連付けされたＣＲＡピクチャよりも先に出力され、前記復元手段による復号処理がスキップされ、前記画像格納手段に格納されず出力されないピクチャであって、画面間予測を行うために、前記復元手段による復号処理がスキップされる少なくとも１つの参照ピクチャ、あるいは、前記関連付けされたＣＲＡピクチャに復号順で先行する少なくとも１つの参照ピクチャ、を含む参照ピクチャのリストを持つ、当該ピクチャ、
３）前記復元手段により復号され、必要に応じて参照のために前記画像格納手段に格納されるピクチャであって、当該ピクチャは画面間予測を行うために参照ピクチャのリストを持ち、当該参照ピクチャのリストにある全ての参照ピクチャが、前記復元手段により復号され、当該ピクチャに関連付けされたＣＲＡピクチャ以降に復号されることを特徴とする、当該ピクチャ、
の計３つに、前記画像を分類し制御する、ことを特徴とする。
本発明に係る動画像予測復号装置は、動画像を構成する複数の画像に対し画面内予測もしくは画面間予測のいずれかによる符号化が行われることで得られた、ランダム・アクセス画像を含む圧縮画像データと、各画像の出力順番を示す符号化データとを入力する入力手段と、前記圧縮画像データと前記符号化データとを復号し、再生画像と出力順番情報とに復元する復元手段と、前記再生画像を、後続の画像を復号するために用いられる参照画像として１つ以上格納する画像格納手段と、前記復元手段を制御する制御手段と、を具備し、前記制御手段は、
１）符号化データの復号が開始されるＣＲＡピクチャ、
２）当該ピクチャに関連付けされたＣＲＡピクチャよりも後に復号され、前記関連付けされたＣＲＡピクチャよりも先に出力され、前記復元手段による復号処理がスキップされ、前記画像格納手段に格納されず出力されないピクチャであって、画面間予測を行うために、前記復元手段による復号処理がスキップされる少なくとも１つの参照ピクチャ、あるいは、前記関連付けされたＣＲＡピクチャに復号順で先行する少なくとも１つの参照ピクチャ、を含む参照ピクチャのリストを持つ、当該ピクチャ、
３）前記復元手段により復号され、必要に応じて参照のために前記画像格納手段に格納されるピクチャであって、当該ピクチャは画面間予測を行うために参照ピクチャのリストを持ち、当該参照ピクチャのリストにある全ての参照ピクチャが、前記復元手段により復号され、当該ピクチャに関連付けされたＣＲＡピクチャ以降に復号されることを特徴とする、当該ピクチャ、
の計３つに、前記画像を分類して制御し、前記復元手段は、符号化データの復号が当該ピクチャに関連付けされたＣＲＡピクチャで開始された場合、当該ピクチャに関する参照ピクチャのリストにある全ての参照ピクチャが前記画像格納手段に格納されているか否かを判定し、参照ピクチャのリストにある全ての参照ピクチャが格納されていれば当該ピクチャを復号し、参照ピクチャのリストにある１つ以上の参照ピクチャが格納されていなければ当該ピクチャの復号をスキップする、といった復号処理を、次のＣＲＡピクチャの処理直前までの期間、続ける、ことを特徴とする。
本発明に係る動画像予測復号方法は、動画像予測復号装置により実行される動画像予測復号方法であって、動画像を構成する複数の画像に対し画面内予測もしくは画面間予測のいずれかによる符号化が行われることで得られた、ランダム・アクセス画像を含む圧縮画像データと、各画像の出力順番を示す符号化データとを入力する入力ステップと、前記圧縮画像データと前記符号化データとを復号し、再生画像と出力順番情報とに復元する復元ステップと、前記再生画像を、後続の画像を復号するために用いられる参照画像として１つ以上格納する画像格納ステップと、前記復元ステップを制御する制御ステップと、を具備し、前記制御ステップにおいて、前記動画像予測復号装置は、
１）符号化データの復号が開始されるＣＲＡピクチャ、
２）当該ピクチャに関連付けされたＣＲＡピクチャよりも後に復号され、前記関連付けされたＣＲＡピクチャよりも先に出力され、前記復元ステップによる復号処理がスキップされ、前記画像格納ステップにて格納されず出力されないピクチャであって、画面間予測を行うために、前記復元ステップによる復号処理がスキップされる少なくとも１つの参照ピクチャ、あるいは、前記関連付けされたＣＲＡピクチャに復号順で先行する少なくとも１つの参照ピクチャ、を含む参照ピクチャのリストを持つ、当該ピクチャ、
３）前記復元ステップにより復号され、必要に応じて参照のために前記画像格納ステップにて格納されるピクチャであって、当該ピクチャは画面間予測を行うために参照ピクチャのリストを持ち、当該参照ピクチャのリストにある全ての参照ピクチャが、前記復元ステップにより復号され、当該ピクチャに関連付けされたＣＲＡピクチャ以降に復号されることを特徴とする、当該ピクチャ、
の計３つに、前記画像を分類して制御し、前記復元ステップにおいて、前記動画像予測復号装置は、符号化データの復号が当該ピクチャに関連付けされたＣＲＡピクチャで開始された場合、当該ピクチャに関する参照ピクチャのリストにある全ての参照ピクチャが前記画像格納ステップにて格納されているか否かを判定し、参照ピクチャのリストにある全ての参照ピクチャが格納されていれば当該ピクチャを復号し、参照ピクチャのリストにある１つ以上の参照ピクチャが格納されていなければ当該ピクチャの復号をスキップする、といった復号処理を、次のＣＲＡピクチャの処理直前までの期間、続ける、ことを特徴とする。
本発明に係る動画像予測復号プログラムは、コンピュータを、動画像を構成する複数の画像に対し画面内予測もしくは画面間予測のいずれかによる符号化が行われることで得られた、ランダム・アクセス画像を含む圧縮画像データと、各画像の出力順番を示す符号化データとを入力する入力手段と、前記圧縮画像データと前記符号化データとを復号し、再生画像と出力順番情報とに復元する復元手段と、前記再生画像を、後続の画像を復号するために用いられる参照画像として１つ以上格納する画像格納手段と、前記復元手段を制御する制御手段、として機能させ、前記制御手段は、
１）符号化データの復号が開始されるＣＲＡピクチャ、
２）当該ピクチャに関連付けされたＣＲＡピクチャよりも後に復号され、前記関連付けされたＣＲＡピクチャよりも先に出力され、前記復元手段による復号処理がスキップされ、前記画像格納手段に格納されず出力されないピクチャであって、画面間予測を行うために、前記復元手段による復号処理がスキップされる少なくとも１つの参照ピクチャ、あるいは、前記関連付けされたＣＲＡピクチャに復号順で先行する少なくとも１つの参照ピクチャ、を含む参照ピクチャのリストを持つ、当該ピクチャ、
３）前記復元手段により復号され、必要に応じて参照のために前記画像格納手段に格納されるピクチャであって、当該ピクチャは画面間予測を行うために参照ピクチャのリストを持ち、当該参照ピクチャのリストにある全ての参照ピクチャが、前記復元手段により復号され、当該ピクチャに関連付けされたＣＲＡピクチャ以降に復号されることを特徴とする、当該ピクチャ、
の計３つに、前記画像を分類して制御し、前記復元手段は、符号化データの復号が当該ピクチャに関連付けされたＣＲＡピクチャで開始された場合、当該ピクチャに関する参照ピクチャのリストにある全ての参照ピクチャが前記画像格納手段に格納されているか否かを判定し、参照ピクチャのリストにある全ての参照ピクチャが格納されていれば当該ピクチャを復号し、参照ピクチャのリストにある１つ以上の参照ピクチャが格納されていなければ当該ピクチャの復号をスキップする、といった復号処理を、次のＣＲＡピクチャの処理直前までの期間、続ける、ことを特徴とする。